(57)【要約】      （修正有）【課題】ペン先の視認部で筆記方向を広く視認することができると共に、終筆まで確実に筆記することができる筆記具を提供する。【解決手段】ペン先４０が、筆記部となる多孔体４５と、多孔体４５を保持し、筆記部にインクを供給するためのインク誘導部５０を少なくとも１つ有する保持体５５とを備え、筆記具本体に含まれるインクを、保持体５５のインク誘導部５０内を通って筆記部に供給し、かつ、保持体５５が、筆記方向を視認できる視認部となる筆記具であって、保持体５５のインク誘導部５０の外周にフランジが保持体５５と同一材料で一体に形成され、インク誘導部５０は保持体５５の長手方向に形成し、視認部の面積比率が、筆記具本体先端部より突出したペン先４０の４０％以上であり、インク誘導部５０には、直接インクが供給されるとともに、保持体内部のインク誘導部断面積の合計が０．０１〜７ｍｍ２であることを特徴とする筆記具Ａ。【選択図】図１
2018118519.tif 000002
【特許請求の範囲】
【請求項１】
ペン先が、筆記部となる多孔体と、該多孔体を保持し、筆記部にインクを供給するためのインク誘導部を少なくとも１つ有する保持体とを備え、筆記具本体に含まれるインクを、上記保持体のインク誘導部内を通って上記筆記部に供給し、かつ、上記保持体が、筆記方向を視認できる視認部となる筆記具であって、前記保持体のインク誘導部の外周にフランジが前記保持体と同一材料で一体に形成され、前記インク誘導部は前記保持体の長手方向に形成し、前記視認部の面積比率が、前記筆記具本体先端部より突出した前記ペン先の４０％以上であり、インク誘導部には、直接インクが供給されるとともに、保持体内部のインク誘導部断面積の合計が０．０１〜７ｍｍ２であることを特徴とする筆記具。
【請求項２】
前記筆記部が、本体軸の長軸方向に対して、傾斜していることを特徴とする請求項１に記載の筆記具。
【請求項３】
筆記部となる多孔体と保持体とが接触している部分の多孔体細孔の凹凸に、保持体から保持体を構成する樹脂が入り込み、保持体樹脂層を形成することで多孔体と保持体が固定されていることを特徴とする請求項１又は２に記載の筆記具。
【発明の詳細な説明】
【技術分野】
【０００１】
本発明は、筆記具本体内のインクをペン先の筆記部に供給するアンダーラインマーカー等と呼ばれるタイプの筆記具に関し、更に詳しくは、ペン先の視認部で筆記方向を広く視認することができると共に、終筆まで確実に筆記することができる筆記具に関する。
【背景技術】
【０００２】
従来より、ペン先の視認部で筆記方向を視認することができる筆記具としては、各構造の筆記具（例えば、本出願人による特許文献１〜５参照）が知られている。これらの各特許文献の中で、本発明の近接技術を示すものとして、例えば、図９に示すように、筆記具本体１ａから供給されるインクを誘導し、かつ保留できるペン体１ｂを有する筆記具１において、上記ペン体１ｂは、インク誘導部１ｃと、該インク誘導部１ｃからのインクを導出する筆記部１ｄとを備えると共に、該筆記部１ｄの軸方向直上に筆記方向を視認できる可視部１ｅを備えたことを特徴とする筆記具（例えば、本出願人による特許文献１参照）が知られており、特に、図１０及び図１１に示される各ペン体が本発明に最も近い近接技術を開示するものである。
【０００３】
図１０（ａ）及び（ｂ）は、上記特許文献１に記載される筆記具におけるペン体の第６実施形態の図面である。この実施形態のペン体２は、透明な支持部材２ａの前端に脚部２ｂで固定された筆記部２ｃが設けられ、この筆記部２ｃの脚部２ｂ後端に連通して上記支持部材２ａ内部所要箇所にインクを毛管作用で誘導可能とするインク誘導溝からなるインク誘導部２ｄが設けられる構造となるものであり、支持部材２ａは透明な樹脂等で構成されているので、２ｅが可視部となり、可視部２ａ内の流通するインクを通して筆記方向を視認するものである。
また、図１１（ａ）及び（ｂ）は、上記特許文献１に記載される筆記具におけるペン体のペン体の第８実施形態である。この実施形態のペン体３は、上記図１０の第６実施形態のペン体と略同じ構成であり、相違する点は支持部材３ａに可視部となる窓部３ｂが穿設されると共に、インク誘導溝３ｃがその窓部３ｂを迂回して形成され、筆記部３ｄにインクが毛管作用で供給可能となる構造となるものである。
【０００４】
しかしながら、上記特許文献１に記載される筆記具において、図９及び図１１では、可視部１ｅ，３ｂの両側にインク誘導部１ｃ，３ｃが設けられると共に、下部に筆記部１ｄ，３ｄが設けられる構造となるため、視認性を有する可視部１ｅの面積比率は、実際上、筆記具本体先端部より突出したペン先（ペン体）の３０％台となるため、十分な視認性を確保することができず、筆記方向が若干見づらい点に課題がある。この可視部を拡大すれば、筆記方向の視認性は広くなるものであるが、筆記部も拡大するため、ラインマーカーとしての筆記性能を損なうこととなる。
また、図１０で示されるペン体２では、可視部２ａ内の流通するインクを通して筆記方向を視認するものであるため、インク色が濃い色の場合は、筆記方向が見づらい点に課題がある。また、可視部２ａ内に固定される脚部２ｂ部分は視認性を有しないので、視認性を有する可視部２ａの面積比率は、実際上、筆記具本体先端部より突出したペン先（ペン体）の３０％台となるため、十分な視認性を確保することができず、更に筆記方向を広く視認できる構造のペン体が望まれているのが現状である。
【０００５】
一方、筆記部の陰となる筆記方向の部分を視認することができると共に、インクの終了サインを検知することができるインク終了検知式の筆記具として、例えば、図１２（ａ）及び（ｂ）に示すように、軸筒４ａ内のインク吸蔵体４ｂに含浸されたインクが、中継芯４ｃ、インク誘導部４ｄを介して筆記部となるペン先４ｅに供給されると共に、前記インク吸蔵体４ｂのインクの終了サインを上記インク誘導部４ｄで視認することにより検知するインク終了検知式の筆記具であって、前記インク誘導部４ｄは、筆記方向を視認できる可視部４ｆと、該可視部４ｆの側部にインク誘導管４ｇとを有する筆記具４（例えば、本出願人による特許文献６参照）や、図１３（ａ）及び（ｂ）に示すように、軸筒５ａ内のインク吸蔵体５ｂに含浸されたインクが、中継芯５ｃ、インク誘導管５ｄを介して筆記部となるペン先５ｅに供給されると共に、前記インク吸蔵体５ｂのインクの終了サインを上記インク誘導管５ｄで視認することにより検知するインク終了検知式の筆記具であって、前記インク誘導管５ｄは内部に厚さが０．０１〜１．０ｍｍとなるスリット状のインク流路５ｅを設けた平板状のインク誘導部５ｇを有すると共に、インク充填時のインク誘導部５ｇの可視光線透過率が５０％以上となり、かつ、上記インク誘導部５ｇを介して、該インク誘導部５ｇの軸方向直下の筆記方向を視認できる筆記具５（例えば、本出願人による特許文献７参照）が知られている。
【０００６】
しかしながら、上記図１２（ａ）及び（ｂ）に示される筆記具４では、終了サインを確実に検知するためには、インク誘導管４ｇが太く（大きく）なるため、十分な視認性を確保することができない点に若干の課題がある。また、インク誘導管４ｇの形状が複雑なため、ペン先のシール性を確保すること、最後までインクを使いきる構造とするためには、困難性を有し容易でないのが現状であった。
また、上記図１３（ａ）及び（ｂ）に示される筆記具５では、十分な視認性を確保できる程度にまでインク誘導部を薄くすると、インク流量を確保することができず、また、十分なインク流量を確保しようとすると、十分な視認性を確保することはできず、したがって、有効な視認部が少なく、見難いものであった。
【先行技術文献】
【特許文献】
【０００７】
【特許文献１】特開２０００−５２６８２号公報（特許請求の範囲、実施形態、図１、図１１、図１２等）
【特許文献２】特開２００１−２５３１９３号公報（特許請求の範囲、実施形態、図１等）
【特許文献３】特開２００２−１９３７０号公報（特許請求の範囲、実施形態、図１等）
【特許文献４】特開２００５−２４６６０６号公報（特許請求の範囲、実施形態、図１等）
【特許文献５】特開２００６−２５６０４５号公報（特許請求の範囲、実施形態、図１等）
【特許文献６】特開２００７−６９４２６号公報（特許請求の範囲、実施形態、図１等）
【特許文献７】特開２００７−６９４２７号公報（特許請求の範囲、実施形態、図１等）
【発明の概要】
【発明が解決しようとする課題】
【０００８】
本発明は、上記従来技術の課題に鑑み、これを解消しようとするものであり、視認部とインク誘導部を有する筆記具において、筆記方向に書いてある文字を確実に読むことができる十分な視認性を付与し、終筆まで使用可能な筆記具を提供することを目的とし、また、視認性を損なわずに、十分な筆記流量を終筆まで確保でき、筆記しやすく、耐久性に優れた筆記具を提供することを目的とする。
【課題を解決するための手段】
【０００９】
本発明者らは、上記従来の課題等を解決するために、鋭意検討した結果、ペン先が、筆記部となる多孔体と、該多孔体を保持し、筆記部にインクを供給するためのインク誘導部を有する保持体とを備え、筆記具本体に含まれるインクを、上記保持体のインク誘導部内を通って上記筆記部に供給し、かつ、上記保持体が、筆記方向を視認できる視認部となる筆記具において、該視認部の面積比率を、特定値以上となるペン先構造とすることにより、また、インク誘導部の構造、筆記部となる多孔体と保持体との境界面構造を特定構造とすることにより、上記目的の筆記具が得られることを見出し、本発明を完成するに至ったのである。
【００１０】
すなわち、本発明は、次の（１）〜（３）に存する。
（１）  ペン先が、筆記部となる多孔体と、該多孔体を保持し、筆記部にインクを供給するためのインク誘導部を少なくとも１つ有する保持体とを備え、筆記具本体に含まれるインクを、上記保持体のインク誘導部内を通って上記筆記部に供給し、かつ、上記保持体が、筆記方向を視認できる視認部となる筆記具であって、前記保持体のインク誘導部の外周にフランジが前記保持体と同一材料で一体に形成され、前記インク誘導部は前記保持体の長手方向に形成し、前記視認部の面積比率が、前記筆記具本体先端部より突出した前記ペン先の４０％以上であり、インク誘導部には、直接インクが供給されるとともに、保持体内部のインク誘導部断面積の合計が０．０１〜７ｍｍ２であることを特徴とする筆記具。
（２）  前記筆記部が、本体軸の長軸方向に対して、傾斜していることを特徴とする上記（１）に記載の筆記具。
（３）  筆記部となる多孔体と保持体とが接触している部分の多孔体細孔の凹凸に、保持体から保持体を構成する樹脂が入り込み、保持体樹脂層を形成することで多孔体と保持体が固定されていることを特徴とする上記（１）又は（２）に記載の筆記具。
【発明の効果】
【００１１】
本発明によれば、従来よりも筆記方向に書いてある文字を確実に読むことができる十分な視認性が付与されると共に、視認性を損なわずに、インク誘導部には、直接インクが供給され、効率的に筆記部に供給されるので、十分な筆記流量を終筆まで使用可能な筆記具が提供される。
請求項２〜３の発明によれば、更に、視認性を損なわずに、十分な筆記流量を終筆まで確保でき、筆記しやすく、筆記部となる多孔体とインク誘導部を有する保持体との固定が強固にできる筆記具が提供される。
【図面の簡単な説明】
【００１２】
【図１】本発明の実施形態の一例を示す筆記具の縦断面図である。
【図２】（ａ）は本発明の筆記具に用いるペン先の一例を示す縦断面図、（ｂ）は（ａ）のＡ―Ａ線断面図、（ｃ）は（ａ）のＢ−Ｂ線断面図である。
【図３】（ａ）は中継多孔体と、筆記部となる多孔体と、インク誘導部を有する保持体などをセットした状態を示す正面図、（ｂ）は（ａ）の縦断面図、（ｃ）及び（ｄ）は保持体の平面図、斜視図である。
【図４】（ａ）は、筆記部となる多孔体と、インク誘導部を有する保持体とをセットした状態の平面図、（ｂ）はその側面図、（ｃ）及び（ｄ）は多孔体と保持体の境界面の保持体樹脂層を示す正面図、側面図である。
【図５】（ａ）は、インク誘導部を有する保持体と中継多孔体をセットした状態を拡大して示す一例の縦断面図、（ｂ）は（ａ）の他例を示す縦断面図である。
【図６】（ａ）〜（ｄ）は、ペン先のインク誘導部の形状を長軸方向に対して直線状以外の各形状を示す正面図である。
【図７】（ａ）及び（ｂ）は、図６の続きで、ペン先のインク誘導部の形状を長軸方向に対して直線状以外の各形状を示す正面図である。
【図８】本発明の実施例及び比較例の筆記具に用いるペン先の各寸法を示す正面図である。
【図９】従来の筆記具の一例を示す筆記具の縦断面図である。
【図１０】（ａ）及び（ｂ）は、図７の従来の筆記具におけるペン先の一例を示す正面図、横断面図である。
【図１１】（ａ）及び（ｂ）は、図７の従来の筆記具におけるペン先の他例を示す正面図、横断面図である。
【図１２】（ａ）及び（ｂ）は、従来の筆記具の一例を示す筆記具の縦断面図、及びその筆記具におけるペン先の一例を示す横断面図である。
【図１３】（ａ）及び（ｂ）は、従来の筆記具の一例を示す筆記具の縦断面図、及びその筆記具におけるペン先の一例を示す横断面図である。
【発明を実施するための形態】
【００１３】
以下に、本発明の実施形態を詳しく説明する。
図１は、本発明の筆記具の実施形態の一例を示す縦断面図、図２は、ペン先を示す図面であり（ａ）は縦断面図、（ｂ）は（ａ）のＡ―Ａ線断面図、（ｃ）は（ａ）のＢ−Ｂ線断面図である。
本実施形態の筆記具Ａは、マーキングペンタイプの筆記具であり、図１に示すように、筆記具本体となる軸筒１０、インク吸蔵体２０、中継多孔体３０、ペン先４０、尾栓６０とを備えている。
軸筒１０は、例えば、熱可塑性樹脂、熱硬化性樹脂、ガラス等で形成されるものであり、筆記具用インクを含浸したインク吸蔵体２０を収容する本体部１１と、ペン先４０を固着する先軸部１２を有している。
【００１４】
インク吸蔵体２０は、水性インク、油性インクなどの筆記具用インクを含浸したものであり、例えば、天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる繊維束、フェルト等の繊維束を加工したもの、また、スポンジ、樹脂粒子、焼結体等の多孔体を含むものである。このインク吸蔵体２０は、軸筒１０の本体部１１内に収容されている。
なお、上記軸筒１０の後端側開口部は、軸筒１０と同一素材又は別の合成樹脂製素材等にて成形される尾栓６０により封止されている。
また、用いるインク組成は特に限定されず、アンダーラインペン等ではインクに蛍光色素、例えば、ベーシックバイオレット１１、ベーシックイエロー４０などを含有させることできる。
【００１５】
中継多孔体３０は、インク吸蔵体２０のインクを後述する保持体５５に設けたインク誘導部５０に供給する中継芯となるものであり、インク吸蔵体２０と同様に繊維束、フェルト等の繊維束を加工した繊維束芯、または、硬質スポンジ、樹脂粒子焼結体等からなる樹脂粒子多孔体、スライバー芯等の連続気孔（流路）を有するものであり、インク吸蔵体２０に含浸されたインクを中継多孔体３０を介して保持体５５のインク誘導部５０へ供給できるものであれば、特にその形状、構造等は限定されるものでない。この中継多孔体の断面形状としては、例えば、円、楕円、正方形、長方形、台形、平行四辺形、ひし形、カマボコ形、半月形の形状が挙げられ、本実施形態では、断面形状が円形状となっている。なお、本実施形態の中継多孔体３０は、図１に示すように、先軸１２内に嵌合される支持部材３５に保持される構造となっている。
【００１６】
ペン先４０は、図１及び図２に示すように、筆記部となる多孔体（ペン芯）４５と、該多孔体４５を保持し、筆記部にインクを供給するためのインク誘導部５０を有する保持体５５とを備えている。
本実施形態の筆記部となる多孔体４５は、保持体５５の先端部に固着されるものであり、例えば、天然繊維、獣毛繊維、ポリアセタール系樹脂、ポリエチレン系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる並行繊維束、フェルト等の繊維束を加工又はこれらの繊維束を樹脂加工した繊維芯、または、各種のプラスチック粉末などを焼結したポーラス体（焼結芯）などからなるものである。
【００１７】
この筆記部となる多孔体４５の形状としては、例えば、外観形状がチゼル形状、砲弾形状、円柱、楕円柱、立方体、直方体などの形状が挙げられ、また、その断面形状が台形、平行四辺形、ひし形、カマボコ形、半月形等となる形状が挙げられ、本実施形態では、チゼル形状となっている。チゼル形状とは、先端がペン軸の中心線に対して傾斜面を形成しており、傾斜面が平坦である形状である。
また、筆記部となる多孔体４５は、筆記しやすい傾きとなるように、好ましくは、本体軸の長軸方向に対して、４０〜９０°の角度で傾いていることが望ましく、本実施形態では、７５°の傾きとなっている。
これらの筆記部となる多孔体４５の形状、傾き等は、筆記等の使い勝手に合わせて適宜設定される。また、筆記部となる多孔体４５は、描線幅が太いものであり、好ましくは、描線幅２ｍｍ以上、更に好ましくは、描線幅３ｍｍ以上の描線幅となる筆記部である。
【００１８】
本実施形態の保持体５５は、視認性を有する材料、例えば、ＰＰ、ＰＥ、ＰＥＴ、ＰＥＮ、ナイロン（６ナイロン、１２ナイロン等の一般的なナイロン以外に非晶質ナイロン等を含む）、アクリル、ポリメチルペンテン、ポリスチレン、ＡＢＳ等の材料から構成されるものであり、可視光線透過率が５０％以上となる材料から構成されることが好ましい。  この可視光線透過率が５０％未満の材料を使用した場合は、筆記方向に書いてある文字を有効に視認できないことがあり、好ましくない。更なる良好な視認機能を発揮できるようにするために、５０％以上透過する材料が好ましく、この可視光線透過率が８０％以上であれば、更に良好に視認できるものとなる。
なお可視光線透過率は、多光源測色計を用いて反射率を測定することで求めることができる。
【００１９】
この保持体５５は、上記各材料の一種類、または、耐久性、視認性の更なる向上の点などから、２種類以上の材料を用いて構成することができ、２種類以上の材料で構成する場合は、少なくとも一つが可視光線透過率５０％以上となる材料から構成されているものが好ましく、射出成形、ブロー成形などの各種成形法により成形することができる。
【００２０】
上記保持体５５内部には、筆記部にインクを供給するためのインク誘導部５０を少なくとも１つ有するものであり、本実施形態では、視認部の面積比率を最大限に発揮せしめる点、筆記部となる多孔体に効率的にインクを供給する点から、図２（ａ）及び（ｃ）に示すように、長手方向の中央にインク誘導部５０が貫通する形で１本設けられている。
このインク誘導部５０の形状、大きさ等は、筆記具本体に含まれるインク吸蔵体２０に含浸されたインクが上記中継多孔体３０を介して直接インク誘導部へ供給できる構造等とるものであれば、その形状、構造、大きさ、本数などは適宜選択することができる。
好ましくは、本発明の効果を最大限に発揮せしめる点から、インク誘導部５０の断面幅方向の長さＷは、ペン先の長軸長さＸの４０％未満、更に好ましくは、１〜３０％であることが望ましく、また、インク誘導部５０の断面積は、筆記部の保持体側断面積未満、または、中継多孔体３０の保持体側断面積未満であることが望ましい。
【００２１】
特に、十分な筆記流量の確保、保持体の視認性を損なわずに、十分な筆記流量を確保する点から、インク誘導部５０の幅方向の長さが３ｍｍ以下、好ましくは、０．１〜２．５ｍｍであることが望ましく、また、直径０．１〜３．０ｍｍ、好ましくは、直径０．２〜２．５ｍｍ、更に好ましくは、直径０．２〜２．０ｍｍの管状であることが望ましい。
また、保持体５５内部にインク誘導部５０の断面積の合計が０．０１〜７ｍｍ２、好ましくは、０．０３〜５ｍｍ２で、更に好ましくは、０．０３〜４ｍｍ２であることが望ましい。
更に、インク誘導部５０は、筆記部４５側に向かってテーパーが形成されていることが好ましく、また、本体軸の長軸方向に対して０〜３０°の向きで、２本以上の複数本でもよいが、１本のみ設けられていることが望ましい。
また、インク誘導部５０の形状は長軸方向に対して直線が望ましいが、後述するように、Ｖ字形状、Ｘ字形状、Ｙ字形状、螺旋形状、逆Ｖ字形状、逆Ｙ字形状のようにして視認しやすい形状にすることもできる。
本実施形態では、筆記部多孔体の保護及びシール性を確保の点から、保持体５５の中継多孔体３０側にフランジ５１が保持体と同一材料で一体に形成されると共に、インク誘導部５０の後端はインク誘導部５０よりも大きな開口部５２が同心状に形成されている。
【００２２】
上記構造となるインク誘導部５０の形成方法としては、例えば、インク誘導部形成用の棒状体等を備えた金型に樹脂を流し込んで射出成形、ブロー成形等の各樹脂成形法で成形後、型抜きをして保持体５５にインク誘導部５０を形成する方法、保持体５５成形後に、ドリル、レーザー加工などによりインク誘導部５０を形成する方法、保持体５５を二部材とし、それぞれにインク誘導部形成用の溝を形成した後、これらを接着、溶着などにより一体化して保持体５５にインク誘導部５０を形成する方法などが挙げられ、先行技術文献に記載された同様の方法で形成することができる。
【００２３】
本発明において、好ましくは、上記保持体５５内部に設けられたインク誘導部５０は、後述する筆記具用インクが入った状態で可視光線透過率が５０％未満であり、視認部として機能せず、筆記方向を有効に視認できないものとすることが望ましい。インク誘導部５０にインクが入った状態で視認できる状態であると、インクの着色成分等の使用が制限されることとなり、ニーズに対応したインク色が得られないこととなり、好ましくない。このような場合には、インク誘導部５０に筆記具用インクと略同色で着色されたパイプを挿入して、インク色が容易に判別できるようにしてもよい。
また、保持体５５のインク誘導部５０以外の部分が視認部を形成する面となるものであり、筆記方向を有効に視認するために、略平行面となっていることが望ましい。なお、視認部をレンズ面として拡大して視認することもできる。
【００２４】
本発明において、上記筆記部となる多孔体４５と、インク誘導部５０を有する保持体５５との接着は、多孔体４５を、シール性能を付与した状態で、強固に固定せしめる点から、多孔体４５と保持体５５が接触している部分の多孔体４５の細孔の凹凸に、保持体５５から保持体を形成する樹脂が入り込み、保持体樹脂層を形成することで多孔体４５と保持体５５が固定されることが望ましい。
上記多孔体４５と保持体５５を形成する材料が、溶剤への溶解性の異なる樹脂から選ばれることが好ましく、例えば、多孔体４５では、ポリエチレン製焼結芯、保持体では、アクリル製であれば、溶剤として、多孔体樹脂と保持体樹脂の溶解パラメーター（ＳＰ値）の差が０．５以上とすることができるため、アルコール、エステル(酢酸ブチル)、エーテル、ケトン(アセトン)、グリコールエーテル、脂環式炭化水素、脂肪族炭化水素、塩化脂肪族炭化水素（ジクロロメタン）、芳香族炭化水素、塩化芳香族炭化水素等の有機溶剤を用いることにより、上記筆記部となる多孔体４５と、インク誘導部５０を有する保持体５５とを固定することができる。
【００２５】
好ましくは、インク誘導部５０の筆記部多孔体４５側の端面には、多孔体４５と保持体５５の境界面に、保持体樹脂層（以下、「境界面の保持体樹脂層を接着面」と表記）を形成し、該接着面が、当該端面の全方向に対して長さ０．５ｍｍ以上、更に好ましくは、０．８〜３ｍｍ形成されていることが望ましい。
この接着面は、平面、曲面、屈曲部の何れかで形成することができ、インク誘導部５０の筆記部多孔体４５側の端面には、接着面が当該端面全周に渡り０．５ｍｍ以上、更に好ましくは、０．８〜３ｍｍ形成されていることが望ましい。
また、接着面上の保持体樹脂層が、多孔体４５内部に向かって１〜１０００μｍ、更に好ましくは、１０〜８００μｍ形成されていることが望ましく、また、筆記部多孔体４５と接触する保持体５５の接触部分の局部山頂の表面はシボ加工等により梨地状態となっていることが望ましい。
【００２６】
図３及び図４は、筆記部となる多孔体４５と、インク誘導部５０を有する保持体５５との接着構造の実施形態を示すものである。
図３（ａ）及び（ｂ）は中継多孔体３０と、支持部材３５と、筆記部となる多孔体４５と、インク誘導部５０を有する保持体５５とをセットした状態を示す正面図、縦断面図であり、（ｃ）及び（ｄ）は保持体５５の平面図、斜視図であり、図４（ａ）は、筆記部となる多孔体４５と、インク誘導部５０を有する保持体５５とをセットした状態の平面図、（ｂ）はその側面図、（ｃ）及び（ｄ）は多孔体４５と保持体５５の境界面の保持体樹脂層４６を示す正面図、側面図である。
【００２７】
この実施形態では、筆記部となる多孔体４５と、インク誘導部５０を有する保持体５５とを強固に固定せしめる点から、図３（ｄ）に示すように、保持体５５の上部にリブ体５６が、筆記部多孔体４５の側面の２つ以上に設けられるものであり、本実施形態では２つ設けられている。
また、上記筆記部となる多孔体４５と、インク誘導部５０を有する保持体５５との接着面は、図３（ｄ）に示すように、リブ体５６の側面内側の二面とインク誘導部５０の開口部を除く底面部が接着面となるものであり、平坦面となっており、更に、筆記部多孔体４５と接触する保持体５５の接触部分の局部山頂の表面はシボ加工等により梨地状態となっている。
この実施形態では、二色成形などにより、多孔体４５と保持体５５とを固定することができる。
【００２８】
このように構成される本実施形態において、上記筆記部となる多孔体４５と、インク誘導部５０を有する保持体５５との接着を、多孔体４５と保持体５５が接触している部分の多孔体４５の細孔の凹凸に、保持体５５から保持体を形成する樹脂が入り込み、底面部に保持体樹脂層４６を形成することなどにより、筆記部となる多孔体４５とインク誘導部５０を有する保持体５５との固定が確実にでき、十分な筆記流量を終筆まで確保できる耐久性に優れた筆記具が得られるものとなる。
【００２９】
また、本発明において、中継多孔体３０と保持体５５との接着を、上述の実施形態と同様に、保持体樹脂層を形成することなどにより接着することができる。
具体的には、図５（ａ）に示すように、中継多孔体３０側接着面を、平面、曲面、屈曲部の何れかに形成し、インク誘導部５０の中継多孔体３０側端面には、保持体５５とこの保持体５５の支持部材３５に挿入された中継多孔体３０の境界面に保持体樹脂層（以下、「中継多孔体側接着面」と表記）を中継多孔体３０全周に渡り厚み０．５ｍｍ以上形成し、中継多孔体３０側接着面上の周状の保持体樹脂層３１が、多孔体内部に向かって１〜１０００μｍ、並びに、中継多孔体３０と接触する保持体５５の接触部分の局部山頂の表面はシボ加工等により梨地状態とする。
【００３０】
このように構成される本実施形態において、中継多孔体３０と、インク誘導部５０を有する保持体５５との接着を、中継多孔体３０と保持体５５が接触している部分の中継多孔体３０の細孔の凹凸に、保持体５５から保持体を形成する樹脂が入り込み、保持体樹脂層３１を形成することなどにより、中継多孔体３０とインク誘導部５０を有する保持体５５との固定が確実にでき、十分な筆記流量をインク誘導部５０に供給でき、耐久性に優れたものとなる。また、図５（ｂ）に示すように、保持体樹脂層３１は、中継多孔体３０が圧入されていて、支持部材３５と中継多孔体３０の接触している部分全体に形成しても良い。
【００３１】
本発明の筆記具では、ペン先４０は、上述の如く、筆記部となる多孔体４５と、該多孔体４５を保持し、筆記部にインクを供給するためのインク誘導部５０を少なくとも１つ有する保持体５５を備えたものであり、筆記具本体１０に含まれるインクを、保持体５５に設けたインク誘導部５０に供給するための中継多孔体３０を有すると共に、上記保持体５５が、視認性を有する材料で構成されているので、当該保持体５５においてインク誘導部５０以外の全面（全体）が筆記方向を視認できる視認部となるものであり、この構造とすることにより、初めて、視認部の面積比率を、筆記具本体１０先端部より突出したペン先の４０％以上とすることができ、好ましくは、ペン先の保持体５５側面の視認部も、４０％以上とし、更に、インク誘導部５０を保持体５５の長手方向中央部に形成し、インク誘導部５０の幅方向の長さ、直径、断面積等を上述の好ましい範囲に好適に設定することにより、更に、視認部の面積比率を、５０％以上にすることができ、従来よりも筆記方向に書いてある文字を確実に読むことができる十分な視認性が付与することができると共に、終筆まで使用可能な筆記具が提供される。特に、インク誘導部５０を保持体５５の長手方向中央部に形成することにより、筆記部となる多孔体４５に、かたよりなく効率的にインクを供給できるので、更に、終筆まで使用可能な筆記具が提供されるものとなる。
また、インク誘導部５０を保持体５５の長手方向中央部に形成することにより、筆記方向を定め易く、非常に筆記しやすい形状となるものである。
更に、保持体５５の上部にリブ体５６を設けることにより、定規で筆記した際に、定規を汚さずに真直ぐな線などを引くこともできる。
更にまた、インク誘導部５０には、直接液体が供給される機構とすることにより、インクを効率的に筆記部となる多孔体４５に供給することができるものとなる。なお、インク誘導部５０として多孔体を用いた場合には、好適なインク流量が得られないことがある。
【００３２】
本発明の筆記具は、上記実施形態などに限定されることなく、本発明の要旨を変更しない範囲内で種々変更することができる。
例えば、上記実施形態では、インク誘導部５０の形状を長軸方向に対して直線状に形成したものを詳述したが、ペン先４０のインク誘導部５０の形状を、図６（ａ）〜（ｄ）及び図７（ａ）、（ｂ）に示す各形状にして視認しやすい形状にすることもできる。なお、図６及び図７中において、上記実施形態と同様の構成は、同じ図示符号を付してその説明を省略する。
図６（ａ）は、インク誘導部５０の形状をＶ字形状とするものであり、図６（ｂ）は、Ｘ字形状、図６（ｃ）はＹ字形状、図６（ｄ）は螺旋形状、図７（ａ）は逆Ｖ字形状、図７（ｂ）は、逆Ｘ字形状とするものである。
また、上記実施形態では、リブ体５６を２つ設けたが、３つ設けても良いものである。また、多孔体全周（４方向）に設けることもできる。
【実施例】
【００３３】
次に、実施例及び比較例により、本発明を更に詳述するが、本発明は下記実施例に限定されるものではない。
〔試験例１：実施例１〜４及び比較例１〜６〕
下記構成となるペン先を備えた筆記具、インクを使用した。各ペン先を構成する筆記部となる多孔体、保持体、インク誘導部の寸法等は下記表１、図８に示す各大きさのものを使用した。ペン先以外の筆記具部材、インクは共通のものを使用した。
【００３４】
（ペン先の構成）
筆記部多孔体：ＰＥ製焼結芯、気孔率６０％
保持体      ：アクリル製、可視光線透過率８５％〔スガ試験機社製、多光源分光測色計（ＭＳＣ−５Ｎ）にて反射率を測定し、可視光線透過率とした。以下同じ。〕
各ペン先の視認部面積（面積比率）の算出は、成形品の実寸法を測定することにより行った。各ペン先の視認部面積（面積比率）は下記表１に示す。
インク誘導部：円筒形状、下記表１に記載の各直径、インクが入った状態の可視光線透過率２７％（共通）
（ペン先以外の筆記具部材の構成）
中継多孔体  ：ＰＥＴ繊維束、気孔率６５％、φ４×２５ｍｍ
インク吸蔵体：ＰＥＴ繊維束、気孔率８５％、φ１４×５５ｍｍ
筆記具本体、尾栓、キャップ：ポリプロピレン（ＰＰ）製
中継多孔体、筆記部多孔体、保持体の接着は下記により行った。
中継多孔体、筆記部多孔体は、保持体に各多孔体を仮挿しした状態で、有機溶剤（酢酸エチル）をしみ込ませ、乾燥させることで接着した。
【００３５】
比較例３のインク誘導部の多孔体は、ＰＥＴ繊維束、気孔率６５％、φ１．５×８ｍｍのものを使用した。
比較例５は従来技術である特許文献６（特開２００７−６９４２６号公報）の図１（本願図１２）に準拠するものであり、比較例６は従来技術である特許文献７（特開２００７−６９４２７号公報）の図１（本願図１３）に準拠するものであり、それぞれ各特許文献の各実施例１に記載材料、大きさのペン先を用いた。
【００３６】
（インク組成、共通）
インクとして、下記組成の蛍光桃インクを使用した。
色材  ：ＶＣトナー桃（御国色素社製）              ３０質量部
湿潤剤：グリセリン                                ２５質量部
防腐剤：バイオエース（ケイアイ化成社製）        ０．７質量部
イオン交換水                                  ４４．３質量部
【００３７】
上記構成となる各ペン先を用いて、下記評価方法により、視認性とインク流量の評価を行った。
これらの評価結果を下記表１に示す。
【００３８】
（視認性の評価方法）
文字の上に筆記し、筆記時に視認部を介して向こう側の見え方を目視にて確認し、下記評価基準で視認性の評価を行った。
視認性の評価基準：
○：視認性十分。非常に見やすく、筆記方向に書いてある文字を読みながら筆記する事が出来る。
△：視認性不十分。ある程度の視認性があるが、筆記方向に書いてある文字を読み取るには注意深く視認する必要がある。
×：視認性不十分。部分的には見えるが、通常使用時には視認出来ていない。
【００３９】
（インク流量の評価方法）
自動筆記装置にペン体をセットして、ＪＩＳ  Ｓ６０３７に従い、上質紙面上で筆記角度６５°、筆記力１Ｎ、速度7ｃｍ／ｓ、距離２０ｍで直線筆記後、筆記した描線状態を目視にて確認し、下記評価基準によりインク流量の評価を行った。
インク流量の評価基準：
○：筆記性良好。描線かすれなし。
△：筆記性不十分。描線かすれあり。
×：筆記性不十分。著しい描線かすれあり。
【００４０】
【表１】
2018118519.tif 000003
【００４１】
上記表１の結果から明らかなように、本発明範囲となる実施例１〜４は、本発明の範囲外となる比較例１〜６に較べて、従来よりも筆記方向に書いてある文字を確実に読むことができる十分な視認性が付与することができると共に、終筆まで使用可能な筆記具となることが判明した。
比較例５及び６（特開２００７−６９４２６号公報、本願図１２、特開２００７−６９４２７号公報、本願図１３）は、直液部分を介して筆記方向を視認することができるが、筆記中等の通常使用時には視認し難く、十分な視認性を付与出来ているとは言えないものであった。
【００４２】
〔試験例２：実施例５〜７及び比較例７〜８〕
試験例２は、筆記部多孔体、保持体との接着については、接着面形状、接着面寸法、接着面最短長さを変えて接着強度、シール性能を下記評価方法により評価した。これらの結果を下記表２に示す。
上記実施例１のペン先を備え、以下の方法で作製した筆記具を使用した。
筆記部多孔体、保持体との接着は、下記方法により行った。
中継多孔体、筆記部多孔体は、保持体に各多孔体を仮挿しした状態で、有機溶剤をしみ込ませ、乾燥させることで接着した。
【００４３】
（接着強度の評価方法）
接着された筆記部多孔体を、ゴム手袋をした手で剥がし、下記評価基準で評価した。
接着強度の評価基準：
○：接着強度十分。筆記部多孔体を剥がそうとすると、接着部が剥がれる前に、筆記部多孔体が壊れる。
△：通常使用に耐えるレベルの接着強度。接着強度不足。筆記部多孔体をはがそうとすると、筆記部多孔体が剥がれてしまう。筆記等では剥がれない。
×：接着強度不足。筆記等により筆記部多孔体が保持体から剥がれてしまう。
【００４４】
（シール性能の評価方法）
シール性能は、筆記時にシール破壊があるかどうか、１５０ｃｍからペン先を上方に向けてコンクリート上に自由落下させた場合にシール破壊があるかどうか、以下の評価基準に従い評価を行った。シール破壊が起こった場合、直液部分に空気（気泡）が入るため、目視で確認することができる。
シール性能の評価基準：
○：シール性能問題なし。
△：落下衝撃等により、シール破壊が起こりインク誘導部に微小な気泡が入る。
×：落下衝撃等により、シール破壊が起こりインク誘導部に大きな気泡が入る。
【００４５】
【表２】
2018118519.tif 000004
【００４６】
上記表２の結果から明らかなように、本発明範囲となる実施例５〜７は、本発明の範囲外となる比較例７〜８に較べて、接着強度、シール性能に優れていることが判明した。
【００４７】
〔試験例３：実施例８〜１０及び比較例９〜１０〕
試験例３は、保持体樹脂層厚さによる接着強度、シール性能を上記評価方法により評価した。これらの結果を下記表３に示す。
上記実施例１のペン先を備え、上記試験例２と同様、ただし、保持体樹脂層の厚みだけを変えて作製した筆記具を使用した。
【００４８】
【表３】
2018118519.tif 000005
【００４９】
上記表３の結果から明らかなように、本発明範囲となる実施例８〜１０は、本発明の範囲外となる比較例９〜１０に較べて、接着強度、シール性能に優れていることが判明した。保持体樹脂層厚みが１μｍ未満の場合、保持体樹脂層を確認出来ず、接着も出来ていない状態だった。比較例９の保持体樹脂層厚みが１５００μｍのものは、インク誘導部を閉塞してしまい、インク流量が非常に低くなった。
【産業上の利用可能性】
【００５０】
本発明の筆記具では、アンダーラインペン、ペイントマーカー、油性マーカー、水性マーカーと呼ばれるタイプの筆記具に好適に使用することができる。
【符号の説明】
【００５１】
Ａ  筆記具
１０  筆記具本体
２０  インク吸蔵体
３０  中継多孔体
４０  ペン先
５０  インク誘導部
５５  保持体
【図１】
2018118519.tif 000006
【図２】
2018118519.tif 000007
【図３】
2018118519.tif 000008
【図４】
2018118519.tif 000009
【図５】
2018118519.tif 000010
【図６】
2018118519.tif 000011
【図７】
2018118519.tif 000012
【図８】
2018118519.tif 000013
【図９】
2018118519.tif 000014
【図１０】
2018118519.tif 000015
【図１１】
2018118519.tif 000016
【図１２】
2018118519.tif 000017
【図１３】
2018118519.tif 000018